(57)【特許請求の範囲】
【請求項１】
上端開口を有する玄米ホッパと、その玄米を受ける精米機と、その精白米を受ける白米受箱とをこの順に保冷庫の上段、中段、下段の位置に収容し、精米機と白米受箱の中間の位置には精米機に連通する糠受箱を設け、さらに上記白米受箱の後方に保冷運転により循環冷却を行う冷却部を設けた保冷精米機において、
上記保冷庫の背面部に沿って上記冷却部から上記玄米ホッパの上端開口に至る背面上行路と、上記玄米ホッパの上端開口から上記保冷庫の左右の側面部に沿って上記下段位置に至る左右の側面下行路と、を設けると共に、
上記精米機の電動駆動部より下方で、且つ、上記冷却部の庫内ファンの吸引側に臨む低位置に、左右の下段開口を配置して、これら下段開口を上記側面下行路の出口とすることを特徴とする保冷精米機。
【請求項２】
前記精米機は、搗精部とその電動駆動部とをこの順に前後に配置し、上記電動駆動部の下面から左右の側面に及ぶ下部遮蔽板を設けたことを特徴とする請求項１記載の保冷精米機。
【請求項３】
前記精米機の外周に前記搗精部と前記電動駆動部とを前後に分ける中間仕切板を設けたことを特徴とする請求項２記載の保冷精米機。
【請求項４】
前記冷却部は、前記精米機の作動を条件として、前記保冷運転より小能力の冷却抑制運転に切替え制御可能に構成したことを特徴とする請求項１から請求項３のいずれかに記載の保冷精米機。
【請求項５】
前記冷却部は、前記精米機の作動終了時から所定時間の範囲を条件として、前記保冷運転より大能力の急冷運転に切替え制御可能に構成したことを特徴とする請求項４に記載の保冷精米機。
【請求項６】
前記保冷庫の下段部の正面に白米取出用の開閉口を設け、この開閉口の開放を条件として前記保冷運転より小能力の冷却抑制運転に切替え制御可能に前記冷却部を構成したことを特徴とする請求項１から請求項５のいずれかに記載の保冷精米機。
【請求項７】
前記精米機は、タイマー設定により作動時間を調節制御可能に構成したことを特徴とする請求項１から請求項６のいずれかに記載の保冷精米機。
【請求項８】
前記精米機について、庫内温度と精米機の作動および停止の時間経過による温度変化とから得られる電動駆動部の温度に基づき、連続作動によって所定の昇温限度に至る限度時間を算出し、この限度時間の範囲内で前記精米機を作動制御可能に構成したことを特徴とする請求項１から請求項７のいずれかに記載の保冷精米機。
【発明の詳細な説明】
【技術分野】
【０００１】
本発明は、米びつ用の小型の保冷庫に精米機を備えた保冷精米機に関する。
【背景技術】
【０００２】
特許文献１に示す保冷精米機は、玄米貯留部と精米部とを保冷室に収容し、この保冷室には冷却部を備えて構成される。精米部には、精米機、精白米受箱、糠送り用の送風機、糠受箱等を備え、また、冷却部には、精米発熱に対応可能な冷却能力を有する圧縮式冷却機を備えて業務用として据置構成され、玄米と白米とを保冷貯蔵によって品質を維持しつつ、必要に応じて白米を取出すことができる。
【先行技術文献】
【特許文献】
【０００３】
【特許文献１】特開２００４−１０５９１８号公報
【発明の概要】
【発明が解決しようとする課題】
【０００４】
しかしながら、家庭用として玄米の収容量を確保した上で、キッチン等の限定されたスペースに配置可能に保冷精米機を構成するためには、糠吸引機構によらずに糠を受箱に投下する簡易構成の精米機および冷却能力を抑えた小型の冷却部によって小型軽量化を図ることが必須の条件となり、そのため、精米機の作動による急激な庫内昇温に伴う貯留玄米等の変質の問題や、庫内に拡散される糠の煩わしい清掃と付着糠による熱交換器の故障という難題に直面することとなり、保冷玄米による家庭精米を実現する上でネックとなっていた。
【０００５】
本発明の目的は、精米部および冷却部の小型軽量化に際して付随する精米機の運転による庫内昇温および拡散糠の問題を解決することができる家庭用の保冷精米機を提供することにある。
【課題を解決するための手段】
【０００６】
請求項１に係る発明は、上端開口を有する玄米ホッパと、その玄米を受ける精米機と、その精白米を受ける白米受箱とをこの順に保冷庫の上段、中段、下段の位置に収容し、精米機と白米受箱の中間の位置には精米機に連通する糠受箱を設け、さらに上記白米受箱の後方に保冷運転により循環冷却を行う冷却部を設けた保冷精米機において、
上記保冷庫の背面部に沿って上記冷却部から上記玄米ホッパの上端開口に至る背面上行路と、上記玄米ホッパの上端開口から上記保冷庫の左右の側面部に沿って上記下段位置に至る左右の側面下行路と、を設けると共に、
上記精米機の電動駆動部より下方で、且つ、上記冷却部の庫内ファンの吸引側に臨む低位置に、左右の下段開口を配置して、これら下段開口を上記側面下行路の出口とすることを特徴とする。
【０００７】
請求項２に係る発明は、請求項１に係る発明において、前記精米機は、搗精部とその電動駆動部とをこの順に前後に配置し、上記電動駆動部の下面から左右の側面に及ぶ下部遮蔽板を設けたことを特徴とする。
【０００８】
請求項３に係る発明は、請求項２に係る発明において、前記精米機の外周に前記搗精部と前記電動駆動部とを前後に分ける中間仕切板を設けたことを特徴とする。
【０００９】
請求項４に係る発明は、請求項１から請求項３のいずれかに係る発明において、前記冷却部は、前記精米機の作動を条件として、前記保冷運転より小能力の冷却抑制運転に切替え制御可能に構成したことを特徴とする。
【００１０】
請求項５に係る発明は、請求項４に係る発明において、前記冷却部は、前記精米機の作動終了時から所定時間の範囲を条件として、前記保冷運転より大能力の急冷運転に切替え制御可能に構成したことを特徴とする。
【００１１】
請求項６に係る発明は、請求項１から請求項５のいずれかに係る発明において、前記保冷庫の下段部の正面に白米取出用の開閉口を設け、この開閉口の開放を条件として前記保冷運転より小能力の冷却抑制運転に切替え制御可能に前記冷却部を構成したことを特徴とする。
【００１２】
請求項７に係る発明は、請求項１から請求項６のいずれかに係る発明において、前記精米機は、タイマー設定により作動時間を調節制御可能に構成したことを特徴とする。
【００１３】
請求項８に係る発明は、請求項１から請求項７のいずれかに係る発明において、前記精米機について、庫内温度と精米機の作動および停止の時間経過による温度変化とから得られる電動駆動部の温度に基づき、連続作動によって所定の昇温限度に至る限度時間を算出し、この限度時間の範囲内で前記精米機を作動制御可能に構成したことを特徴とする。
【発明の効果】
【００１４】
請求項１に係る発明により、保冷庫の背面部の背面上行路から玄米ホッパの上端開口に冷気が供給され、また、左右の側面部に沿って下降する側面下行路によって保冷庫内が一様に冷却され、下段位置に充満した冷気が冷却部に戻されることから、中段配置の精米機から発散される熱気は冷却部に吸い込まれることなく滞留し、また、糠は糠受箱に連通排出される。ここで側面下行路の出口の下段開口は、精米機の電動駆動部より下方で、且つ、上記冷却部の庫内ファンの吸引側に臨む低位置に配置されているから、精米機とその電動駆動部は循環冷気の経路の外に位置することになる。その結果、精米機が発熱しても循環冷気の温度は上らず、庫内昇温が回避できる一方、精米機や電動駆動部も過度に冷却されず、結露の発生が抑制できる。
このように、精米機の作動に際して、精米機が発する熱気が冷却部により庫内循環したり、冷却部に糠が付着したりするのを回避されることから、冷却能力を限定した小型の保冷精米機により、急激な庫内昇温による玄米や白米の変質および冷却部の故障を招くことなく、保冷玄米による精米が可能となる。
【００１５】
請求項２に係る発明により、請求項１に係る発明の効果に加え、電動駆動部の下方の冷却部は、下部遮蔽板により電動駆動部の発熱による熱気を受けることが抑えられるので、精米時においても急激な庫内昇温を招くことなく、循環冷却動作が可能となる。
【００１６】
請求項３に係る発明により、請求項２に係る発明の効果に加え、中間仕切板により搗精部の発生糠が電動駆動部側に移動することなく安定落下することから、後部配置の冷却部への糠の吸込みが抑えられる。
【００１７】
請求項４に係る発明により、請求項１から請求項３のいずれかに係る発明の効果に加え、精米機の作動に伴う熱気や糠の庫内拡散があっても、冷却抑制運転によって冷却部への熱気や糠の吸い込みが抑えられる。
【００１８】
請求項５に係る発明により、請求項４に係る発明の効果に加え、精米機の作動終了によって発熱や糠排出が停止することから、冷却部は、糠の吸込みを避けつつ、精米機作動による発熱分を急冷運転によって早期に冷却することができる。
【００１９】
請求項６に係る発明により、請求項１から請求項５のいずれかに係る発明の効果に加え、開閉口の開放の際の冷却抑制運転により、冷却部の結露凍結を招く外気の庫内取込みを抑えることができる。
【００２０】
請求項７に係る発明により、請求項１から請求項６のいずれかに係る発明の効果に加え、精白度に左右される精米量について、その調節が作動時間の設定により可能となる。
【００２１】
請求項８に係る発明により、請求項１から請求項７のいずれかに係る発明の効果に加え、精米機は、庫内温度センサーと運転履歴とにより得られる限度時間内の運転により、電動駆動部の昇温限度の範囲内で精米運転が可能となる。したがって、温度センサーを電動駆動部に組込むためコスト負担を要することなく、電動駆動部の過熱による弊害、例えば、モータ寿命の低下やコイル異臭の発散付着の問題を回避して保冷玄米の安定精米が可能となる。
【図面の簡単な説明】
【００２２】
【図１】保冷精米機の内部構成を表した側面図
【図２】保冷精米機の内部構成を表した正面図
【図３】冷却部の要部拡大断面図
【図４】冷却循環系の透視側面図
【図５】内部ユニットの内部構成を表した要部正面図
【図６】制御部の構成展開図
【図７】精米機の作動による電動駆動部の温度変化特性図
【発明を実施するための形態】
【００２３】
上記技術思想に基づいて具体的に構成された実施の形態について以下に図面を参照しつつ説明する。
本発明に係る保冷精米機１は、内部構成を表した側面図および正面図を図１、図２に示すように、上端開口を有する玄米ホッパ２と、その玄米を受ける精米機３と、その精白米を受ける白米受箱４とを上から順に一体に配置した内部ユニットＵを保冷庫５に収容するとともに、保冷庫５の下段背面部に循環保冷用の冷却部６を設けて構成される。
【００２４】
玄米ホッパ２は、保冷庫５の上段部を構成し、保冷庫５の上部開口から受けた玄米を貯留するとともに、下方の精米機３に貯留玄米を供給可能に連通する。この連通口には、メンテナンス時に使用する玄米保持用のストッパを設け、また、精米部に対する異物進入を阻止するとともに手指を保護する保護網を設ける。
【００２５】
精米機３は、保冷庫５の中段部を構成し、搗精部３ａと電動駆動部３ｂとを前後に配置し、搗精部３ａに玄米ホッパ２から貯留玄米を受けて精米を行う。搗精部３ａの先端には、白度調節ダイヤル３ｃを備え、この白度調節ダイヤル３ｃを保冷庫５の前部開口５ｂに臨んで配置する。
白米受箱４は、保冷庫５の下段部を構成し、上方の搗精部３ａの前側に設けた白米シュート４ａを介して精白米を受ける容器であり、保冷庫５の前部開口５ｂから引出し可能に構成する。この白米受箱４と隣接して白米シュート４ａの側方に糠受箱４ｂを配置し、搗精部３ａに設けた糠シュート４ｃを介して落下糠を受ける。
【００２６】
保冷庫５は、発泡樹脂材等の断熱材によって内郭を形成した箱体であり、内部ユニットＵを防振収容するとともに、開閉口である上部開口５ａと前部開口５ｂとを最小限の大きさに形成し、上部開口５ａの上蓋と前部開口５ｂの前扉とを開閉可能に構成する。前部開口５ｂの近傍には電源ランプ７ａ等の最小限の表示部を設ける。精米操作のための操作パネル７ｂは、前部開口５ｂの前扉の内方で糠受箱４ｂを仕切る内扉に配置する。また、断熱壁材の内面に幅広の浅溝を形成して内部ユニットＵの周壁との間に循環冷却用の通路を形成する。
【００２７】
冷却部６は、中段配置の精米機３の電動駆動部３ｂの下方に配置し、その要部拡大断面図を図３に示すように、ペルチェ素子等による静止型駆動部６ａに熱交換用の庫内ファン６ｂと送出口６ｄとを設け、背面側に放熱ファン６ｃを設ける。この冷却部６は、静止型駆動部６ａにより小型軽量に構成することができ、静粛な保冷運転により、庫内ファン６ｂが庫内の下段部から吸気して熱交換し、玄米ホッパ２および庫内を冷却する。
【００２８】
（冷却循環系）
冷却循環系は、その透視側面図を図４に示すように、保冷庫５の背面部に沿って冷却部６から玄米ホッパ２の上端開口に至る背面上行路１１ａと、保冷庫５の両側面部に沿って背面上行路１１ａの上端から下段部に至る左右の側面下行路１２ａ，１２ａと、保冷庫５の前面部に沿って左右の側面下行路１２ａ，１２ａと連通する前面下行路１３ａと、内部ユニットＵの両側面に形成した左右の下段開口１４ａ，１４ａとによって構成する。
【００２９】
背面上行路１１ａは、保冷庫５の背面断熱材１１の内面に形成した溝により、冷却部６の送出口６ｄから玄米ホッパ２の上端開口に至る通路である。
左右の側面下行路１２ａ，１２ａは、発泡樹脂材等による保冷庫５の左右の側面断熱材１２，１２の内面に屈曲して形成した幅広の浅溝により、背面上行路１１ａの上端から内部ユニットＵの左右の下段開口１３ａ，１３ａに至る通路である。
前面下行路１３ａは、保冷庫５の前面断熱材１３の内面に形成した溝により、左右の側面下行路１２ａ，１２ａと連通する通路である。
左右の下段開口１４ａ，１４ａは、内部ユニットＵの左右の側面板１４，１４に形成し、左右の側面下行路１２ａ，１２ａの出口として、精米機３の電動駆動部３ｂより下方の庫内ファン６ｂに臨む低位置に配置する。
【００３０】
（内部ユニット）
内部ユニットＵは、玄米ホッパ２、精米機３、白米受箱４を一体に構成するとともに、その要部正面図を図５に示すように、中段の精米機３の外周部に中間仕切板２１と下部遮蔽板２２とを設ける。
中間仕切板２１は、搗精部３ａと電動駆動部３ｂとの間の位置で搗精部３ａの糠が安定落下するように内部ユニットＵの中段部を前後に仕切る。
下部遮蔽板２２は、電動駆動部３ｂの下面と両側面の三面を囲んで構成する。この下部遮蔽板２２により、精米機３の作動に際して、電動駆動部３ｂ下方の冷却部６に作用する熱を遮断するとともに、熱気の拡散を防止する。
【００３１】
上記構成の保冷精米機１は、保冷庫５の背面部の背面上行路１１ａから玄米ホッパ２の上端開口に冷気が供給され、また、左右の側面部に沿って下降する側面下行路１２ａ，１２ａによって保冷庫内が一様に冷却され、下段部に充満した冷気が冷却部６に戻されることから、中段配置の精米機３から発散される熱気は冷却部６に吸い込まれることなく滞留し、また、糠は糠受箱４ｂに連通排出される。したがって、冷却能力を限定した小型の保冷精米機により、精米機３の作動に際して、玄米ホッパ２の急激な昇温や冷却部６の糠付着を抑えつつ、保冷玄米による精米が可能となる。
【００３２】
この場合において、精米機３の電動駆動部３ｂの下面から左右の側面に及ぶ下部遮蔽板２２を設けることにより、下方の冷却部６が熱遮蔽されるとともに、精米動作時の電動駆動部３ｂの発熱による熱気の拡散が抑えられる。また、中間仕切板２１により搗精部３ａの発生糠が電動駆動部３ｂ側に移動することなく安定落下することから、後部配置の冷却部６への糠の吸込みを抑えることができる。
【００３３】
（制御部）
冷却部６および精米機３は、制御部の構成展開図を図６に示すように、個々の制御ユニット３１，３２からなる運転制御部を備える。冷却用の制御ユニット３１は、設定温度範囲に庫内を冷却制御するとともに、前部開口５ｂの前扉およびその内方の糠扱い用の内扉の開閉監視により、精米用の制御ユニット３２の通電を制御可能に構成する。精米用の制御ユニット３２は、精米機３の運転に必要な範囲に限定して通電を受けることにより、待機状態の電力消費による発熱を抑えることができる。
【００３４】
（穀粒センサ）
内部ユニットＵの下段部には白米受箱４を引出し操作可能に支持し、この白米受箱４に収容された白米の満量充填検出用の穀粒センサ４１を設ける。この穀粒センサ４１は、断面積を小さく絞って精白米を下行案内する案内筒４１ａと、この案内筒４１ａ内の穀粒量を検出する光学式、静電容量式等のセンサー４１ｂとによって構成し、精白米を案内する白米シュート４ａに介設する。
【００３５】
穀粒センサ４１は、白米受箱４の直上位置で白米受箱４の後端部まで所定距離を残した位置に案内筒４１ａを固定支持し、精米機３の作動に対応して案内筒４１ａを通過する穀粒の量を検出し、その検出穀粒量によって穀粒の「不在」、「散在」、「充填」の三態様を識別可能に構成する。「不在」または「充填」の判定により精米機３を停止し、その停止の状況に応じた表示等により案内報知可能に精米用の制御ユニット３２を構成する。
【００３６】
上記構成の穀粒センサ４１により、白米受箱４の満量充填時および玄米の全量消費時について、単一のセンサーにより低コストで確実な精米制御が可能となる。また、引出し式の白米受箱４に対してその直上位置に簡易に固定構成することができる。満量充填された白米受箱４を引出す際は、案内筒４１ａ内に穀粒が堆積していても、白米受箱４の移動に応じて白米が落下することから、案内筒４１ａから白米受箱４の後端部までの距離を確保することにより、案内筒４１ａから落下する全穀粒を白米受箱４に受けることができる。
【００３７】
（運転制御）
保冷精米機１は、冷却用の制御ユニット３１によって冷却部６を制御し、通常の保冷運転と、それより小能力の冷却抑制運転と、その逆の急冷運転とから条件に応じて運転切替制御可能に構成し、また、前部開口５ｂの前扉の中に配置してある操作パネル７ｂの精米スイッチ操作により精米機３が作動し、条件に応じて精米停止制御可能に構成する。
【００３８】
冷却部６の保冷運転は、庫内を所定の温度範囲に維持するように冷却用の制御ユニット３１により冷却部６を制御する。この冷却制御により、冷却部６が内部ユニットＵの下段部から吸気して熱交換し、この冷気は背面上行路１１ａによって玄米ホッパ２の上端開口に供給されて貯留玄米を冷却し、次いで左右の側面下行路１２ａ，１２ａおよび前面下行路１３ａから下段位置に至る間で庫内全体を一様に冷却し、内部ユニットＵの左右の下段開口１４ａ，１４ａから同じく下段配置の冷却部６を経て循環冷却を行う。
【００３９】
上記冷却運転により、上段配置の玄米ホッパ２の貯留玄米は循環冷気を受けて所定温度に保冷されるとともに、中段配置の精米機３は、下段配置の冷却部６に向かう循環冷気の経路の外に位置することから、過度の冷却による結露に伴う電動駆動部３ｂの劣化が抑えられる。
【００４０】
冷却抑制運転は、冷却部６の停止を含む小能力の循環冷却を行う。前扉５ｂの開放の間についてドアスイッチにより冷却抑制運転に切替え制御することにより、前扉５ｂの開放の際の外気の取込みが抑えられることから、冷却部６の凍結や精米機３の電動駆動部３ｂの結露を低減することができる。また、精米機３の作動の間について切替え制御することにより、排出糠と熱気の庫内拡散を抑えることができる。
【００４１】
急冷運転は、許容範囲内の最大能力の循環冷却を行う。精米機３の作動終了時から所定時間の範囲について急冷運転に切替え制御することにより、精米機３の発熱分に対して早期に対処することができる。必要により冷却部６の凍結検出による運転調節を行う。
【００４２】
精米機３の運転制御は、冷却用の制御ユニット３１による前扉５ｂの開放検出を条件に精米用の制御ユニット３２に給電することにより開始される。この精米用の制御ユニット３２は、操作パネル７ｂの精米スイッチ操作により、前扉５ｂ、穀粒センサ４１、内扉その他の関連機器が一定条件を満たす範囲で精米機３を作動制御する。
【００４３】
この場合において、タイマーの設定操作により作動時間を調節制御可能に構成することにより、精白度によって左右される精米量について、タイマー設定による適宜の調節が可能となる。また、精米機３の作動の際の電動駆動部３ｂの温度上昇による異臭発散や機器劣化の問題を回避するために、精米用の制御ユニット３２により、所定の許容上限温度の範囲で連続作動が可能な限度時間を算出し、この限度時間の範囲内で精米機３を作動制御可能に構成する。
【００４４】
連続作動が可能な限度時間は、精米機３の作動による電動駆動部３ｂの温度変化特性図を図７に示すように、精米機３の作動により発熱する電動駆動部３ｂの温度変化に基づき、庫内温度センサーによる当初の庫内温度と運転履歴とにより電動駆動部３ｂの現在温度を算出し、この現在温度からの精米機３の作動により許容上限温度Ｔ０に達するまでの時間として算出することができる。
【００４５】
このようにして、精米機３は、庫内温度と運転履歴とにより得られる限度時間内の運転により、電動駆動部３ｂについて昇温限度の範囲内の精米運転が可能となる。したがって、電動駆動部３ｂに温度センサーを組込んだ高コストの構成を要することなく、電動駆動部３ｂの過熱による弊害、例えば、モータ寿命の低下やコイル異臭の発散付着の問題を回避することができるので、低コストの家庭用保冷精米機により、安定して保冷玄米の精米が可能となる。
【符号の説明】
【００４６】
１      保冷精米機
２      玄米ホッパ
３      精米機
３ａ    搗精部
３ｂ    電動駆動部
４      白米受箱
４ｂ    糠受箱
５      保冷庫
６      冷却部
６ｂ    庫内ファン
１１ａ  背面上行路
１２ａ  側面下行路
１４ａ  下段開口
２１    中間仕切板
２２    下部遮蔽板
３１    冷却用制御ユニット
３２    精米用制御ユニット
Ｔ０    許容上限温度
Ｕ      内部ユニット
【図２】
0005912872.tif 000002
【図３】
0005912872.tif 000003
【図４】
0005912872.tif 000004
【図５】
0005912872.tif 000005
【図６】
0005912872.tif 000006
【図７】
0005912872.tif 000007
【図１】
0005912872.tif 000008